(57)【要約】【解決手段】本発明は、米を搬送するための、特に精米機において米を一貫して空気圧搬送するための方法および設備に関する。搬送用連接体内において、搬送空気の湿度並びに温度を測定するための、複数のセンサーが設けられおり、且つ、実測値が、適当な制御装置によって、プリセットされた目標値に適合される。【特許請求の範囲】
【請求項１】
米を搬送するための方法であって、特に、精米機において、米を一貫して空気圧搬送する様式の上記方法において、
搬送空気の温度および湿度が、搬送用連接体内において測定され、
この実測値が、プリセットされた目標値と比較され、且つ次いで、目標値方向へ制御、即ち、調節されることを特徴とする方法。
【請求項２】
搬送速度は、搬送用連接体内において、最適条件に適合されることを特徴とする請求項１に記載の方法。
【請求項３】
搬送流は、一様であり、且つ邪魔されていないことを特徴とする請求項１または２に記載の方法。
【請求項４】
米を搬送するための設備であって、特に、個別の処理装置の間に搬送用連接体を有する精米機において、米を一貫して空気圧搬送する様式の、上記設備において、
搬送用連接体内において、湿度並びに温度を測定するための、複数のセンサーが設けられていることを特徴とする設備。
【請求項５】
センサーは、制御ユニットを介して、搬送空気の温度および湿度のための調節装置と結合されていることを特徴とする請求項４に記載の設備。
【請求項６】
処理装置への搬送用連接体並びに接続用パイプの搬送管は、内側で研磨されていることを特徴とする請求項４に記載の設備。
【請求項７】
少なくとも１つの搬送管は、内側で円錐形に形成されていることを特徴とする請求項４または６に記載の設備。
【請求項８】
搬送管及び／または接続用パイプは、内側で、衝突エッジ部無しに互いに結合されていることを特徴とする請求項４、６または７のいずれか一つに記載の設備。
【発明の詳細な説明】
【０００１】
本発明は、米を搬送するための、特に精米機において米を空気圧搬送するための方法および設備に関する。
【０００２】
サイロおよび穀物製粉機内の穀物を空気圧搬送することは、良く知られていることである。乾燥し、且つ大量に堆積した穀粒状および粉末状のばら積み品は、有利には、空気圧で搬送される。穀物において、付加的に良好な衛生諸条件が得られる。
【０００３】
ドイツ連邦共和国実用新案第８７１７３６７号明細書が、ばら積み品移送のための搬送導管を開示しており、この搬送導管は、エンゼルヘア（Ｅｎｇｅｌｈａａｒ）の形成を回避するために、管内側に整向された、高さ１ｍｍ以下の突出部を有している。例えばドイツ連邦共和国特許公開第２００８９８９号明細書のような、類似の解決策において、突起部を有する壁（Ｗａｎｄａｎｓａｅｔｚｅｎ）の形成は防止されるべきである。
【０００４】
ドイツ連邦共和国特許公開第３０２６００１号明細書は、空気圧米粒搬送装置および空気圧ふるい装置を有する精米機を示しており、その際、この空気圧ふるい装置内において、材料は減速され、摩擦される。湾曲された板でもって調節可能に組み立てられた装置は、この場合に研磨薄層を備えている。これら湾曲された板は、空気を米粒から分離するために、カスケード内に設けられている。この湾曲によって生じされる減速は、随伴する米粒の破砕を防止するか、または最低限に抑える。このことは、それぞれの処理段階の場合に言えることである。
【０００５】
空気圧ふるい搬送装置は、主産物および副産物のために設けられており、空気圧移送によって、これまで予測された米粒の破砕の危険は、硬質な金属表面へのこれら米粒の衝突の回避によって、排除されるべきである。湾曲された板の調節可能性によって、同様に、粒子流の濃度も変更可能である。
【０００６】
従って、ここで、本発明の根底をなす課題は、米を搬送するための、特に米を空気圧搬送するための方法を提供することであり、この方法でもって、米搬送が、自体より確実におよびより簡単に行われ得る。この課題は、特許請求項の典型的な特徴に基づいて解決されており、有利な実施形態は、従属請求項において与えられている。
【０００７】
更に、本発明の根底をなす課題は、米を搬送するための、特に米を空気圧搬送するための設備を発展させることである。
【０００８】
本発明の根底にある認識は、導管内における搬送速度の適合もしくは最適化によって、破砕の危険が、更に低減され得ることにある。
【０００９】
有利には、衝突エッジ部（Ｓｔｏｓｓｋａｎｔｅｎ）は回避されるべきであり、且つ管は内側で研磨されるべきである。円錐形の管切片により、搬送速度は、適当な位置において、低減されるべきである。同様に、搬送空気の湿度および温度も、調節されるべきであり、もしくは少なくとも、点検されているべきである。
【００１０】
搬送媒体は、通常の場合には空気であり、同様に、例えば米の芳香（例えば日本の白米の場合）を保護するため、または表面胚芽含有量（Ｏｂｅｒｆｌａｅｃｈｅｎｋｅｉｍｇｅｈａｌｔ）の低減を行うために、不活性ガス、或いはそのような物も使用され得る。同様に、この搬送媒体、特に空気を、ろ過することは可能である。
【００１１】
穀粒破砕を回避するために、ガス流内への製品の供給は、例えばトランスファーチューブ（Ｓｃｈｌｅｕｓｅｎ）のような特有の供給装置でもって行われる。
【００１２】
次に、本発明を、実施例において詳しく説明する。
【００１３】
その製品移送が完全に空気圧的に行われる精米機内において、搬送空気の温度および湿度は、搬送用連接体の重要な断片において、搬送管の内側壁の領域において設けられているセンサーを用いて検出される。実測データは、通常の制御ユニットに転送され、プリセットされた目標値と比較され、且つ次いで、目標値方向へ調節される。このことは、搬送空気の冷却または加熱、もしくは搬送空気（場合によっては、同様に搬送材料）の湿潤または除湿を内容としている。
【００１４】
個別の機械および処理装置への、またはこれらからの、搬送用連接体および接続用パイプは、衝突部の無い移行によって、米の妨害されない搬送が行われるように構成されている。補足的に、必要な領域において、米の搬送速度は、円錐形の移行部によって最適化され、即ち、組込み方向に応じて増大または低減される。
【国際公開パンフレット】
2004507353.tif 000002
2004507353.tif 000003
2004507353.tif 000004
2004507353.tif 000005
2004507353.tif 000006
2004507353.tif 000007
【手続補正書】
【提出日】平成14年3月26日(2002.3.26)
【手続補正１】
【補正対象書類名】明細書
【補正対象項目名】特許請求の範囲
【補正方法】変更
【補正の内容】
【特許請求の範囲】
【請求項１】
米を搬送するための方法であって、特に、精米機において、米を一貫して空気圧搬送する様式の上記方法において、
搬送空気の温度および湿度が、搬送用連接体内において測定され、
この実測値が、プリセットされた目標値と比較され、且つ次いで、目標値方向へ制御、即ち、調節されることを特徴とする方法。
【請求項２】
搬送速度は、搬送用連接体内において、最適条件に適合されることを特徴とする請求項１に記載の方法。
【請求項３】
搬送流は、一様であり、且つ邪魔されていないことを特徴とする請求項１または２に記載の方法。
【請求項４】
米を搬送するための設備であって、特に、個別の処理装置の間に搬送用連接体を有する精米機において、米を一貫して空気圧搬送する様式の、上記設備において、
搬送用連接体内において、湿度並びに温度を測定するための、複数のセンサーが設けられていること、および、
処理装置への搬送部材もしくは搬送用連接体並びに接続用パイプは、内側で研磨されていることを特徴とする設備。
【請求項５】
センサーは、制御ユニットを介して、搬送空気の温度および湿度のための調節装置と結合されていることを特徴とする請求項４に記載の設備。
【請求項６】
少なくとも１つの搬送管は、内側で円錐形に形成されていることを特徴とする請求項４に記載の設備。
【請求項７】
搬送管及び／または接続用パイプは、内側で、衝突エッジ部無しに互いに結合されていることを特徴とする請求項４または６に記載の設備。
【国際調査報告】
2004507353.tif 000008
2004507353.tif 000009
2004507353.tif 000010
2004507353.tif 000011